(57)【特許請求の範囲】
【請求項１】
子機と無線通信を行う第１無線部と、
留守番録音機能のオン、又は、オフを受け付けるための操作部と、
前記留守番録音機能によって録音されたメッセージである留守用件を再生する第１モードと、応答メッセージを再生する第２モードと、前記留守用件を録音する領域がないことを示す未領域メッセージを再生する第３モードと、を含む留守再生モードを記憶する記憶部と、
第１制御部と、を備える親機と、
前記親機と無線通信を行う第２無線部と、
スピーカと、
第２制御部と、を備える前記子機と、を備え、
前記第１制御部は、
前記操作部によって、前記留守番録音機能のオン、又は、オフを受け付けた場合、前記操作部が操作されたことを示す留守設定通知を、前記第１無線部を介して、前記子機に送信し、
前記第２制御部は、
前記第２無線部を介して、前記留守設定通知を受信した場合、メッセージ再生要求を前記親機に送信し、
前記第１制御部は、
前記第１無線部を介して、前記メッセージ再生要求を受信した場合、前記記憶部に記憶されている前記留守再生モードに応じて、前記留守用件、前記応答メッセージ、又は、前記未領域メッセージを、前記第１無線部を介して、前記子機に送信し、
前記第２制御部は、
前記第２無線部を介して、前記留守用件、前記応答メッセージ、又は、前記未領域メッセージを受信した場合、前記留守用件、前記応答メッセージ、又は、前記未領域メッセージを前記スピーカから再生する
ことを特徴とする電話機。
【請求項２】
前記記憶部は、前記留守番録音機能がオン、又は、オフであるかを示す留守設定をさらに記憶し、
前記第１制御部は、
さらに、前記操作部によって、前記留守番録音機能のオン、又は、オフを受け付けたときに、前記記憶部に記憶されている前記留守設定がオフであり、且つ、前記留守用件を録音する領域がない場合、前記留守再生モードを前記第３モードに設定する
ことを特徴とする請求項１に記載の電話機。
【請求項３】
前記第１制御部は、
さらに、前記操作部によって、前記留守番録音機能のオン、又は、オフを受け付けたときに、前記記憶部に記憶されている前記留守設定がオフであり、且つ、前記留守用件を録音する領域がある場合、前記留守設定をオンに変更し、且つ、前記留守再生モードを前記第２モードに設定する
ことを特徴とする請求項２に記載の電話機。
【請求項４】
前記第１制御部は、
さらに、前記操作部によって、前記留守番録音機能のオン、又は、オフを受け付けたときに、前記記憶部に記憶されている前記留守設定がオンである場合、前記留守設定をオフに変更し、且つ、前記留守再生モードを前記第１モードに設定する
ことを特徴とする請求項２又は３に記載の電話機。
【請求項５】
前記第２制御部は、
前記第２無線部を介して、前記留守設定通知を受信したときに、自機が待機状態である場合、前記メッセージ再生要求を前記親機に送信し、
自機が前記待機状態でない場合、前記メッセージ再生要求を前記親機に送信しない
ことを特徴とする請求項１〜４のいずれか１項に記載の電話機。
【発明の詳細な説明】
【技術分野】
【０００１】
本発明は、電話機に関する。
【背景技術】
【０００２】
近年、親機と子機とが無線で通信するコードレス電話機において、スタイリッシュさ、シンプルさを訴求するために、親機には、表示部等が設けられないものがある（例えば、特許文献１参照。）。このような製品においては、ほぼすべての操作を子機から行うようになっている。また、このような製品でも、「発信」、「着信」等は、従来のコードレス電話機と同様に使用可能である。
【０００３】
例えば、留守番録音機能のオン、又は、オフを受け付けるための留守ボタンのみが親機に設けられている電話機がある。以下、留守ボタンによって、留守番録音機能のオン、又は、オフを受け付けた場合の従来の電話機の処理動作について説明する。なお、留守応答するときに相手に流す応答メッセージを「ＯＧＭ（Out Going Message）」、留守番録音機能によって録音されたメッセージ（留守用件）を「ＩＣＭ（In Coming Message）」という。
【０００４】
（留守番録音機能をオンからオフにする場合）
親機は、留守ボタンが操作されると、留守番録音機能がオン又はオフであるか示す留守設定をオンからオフに変更して記憶する。次に、親機は、留守ボタンが操作されたことを示す留守ボタン通知を、子機に送信する。このとき、親機は、留守設定の状態（オン／オフ）も子機に送信する。子機は、留守ボタン通知を受信した場合、留守設定がオフであるので、ＩＣＭの再生を親機に要求する。親機は、ＩＣＭの再生要求を受信した場合、ＩＣＭを子機に送信する。子機は、ＩＣＭを受信した場合、ＩＣＭを再生する。
【０００５】
（留守番録音機能をオフからオンにする場合（録音領域に空きがある場合））
親機は、留守ボタンが操作されると、留守設定をオフからオンに変更して記憶する。次に、親機は、留守ボタン通知を、子機に送信する。このとき、親機は、留守設定の状態（オン／オフ）も子機に送信する。子機は、留守ボタン通知を受信した場合、留守設定がオンであるので、ＯＧＭの再生要求を親機に要求する。親機は、ＯＧＭの再生要求を受信した場合、ＯＧＭを子機に送信する。子機は、ＯＧＭを受信した場合、ＯＧＭを再生する。
【０００６】
（留守番録音機能をオフからオンにする場合（録音領域に空きがない場合））
親機は、留守ボタンが操作されると、録音領域に空きがないことを報知するため、ブザーで警告音を鳴らす。また、親機は、留守番録音機能をオンにしても、ＩＣＭを録音できないため、留守設定を変更しない。また、留守ボタン通知を子機に送信しても、留守設定はオフであるため、留守ボタン通知を受信した子機は、ＯＧＭではなく、ＩＣＭの再生を要求してしまう。このため、親機は、留守ボタン通知を子機に送信しない。このとき、親機は、留守設定の状態（オン／オフ）も送信しない。子機は、留守ボタン通知を受信しないため、何もしない。
【先行技術文献】
【特許文献】
【０００７】
【特許文献１】特開２０１２−１９９５９９号公報
【発明の概要】
【発明が解決しようとする課題】
【０００８】
上述のように、従来の電話機では、親機の留守ボタンが操作された場合に、子機のスピーカから、ＩＣＭの再生、ＯＧＭの再生が行われる。しかし、録音領域に空きがない場合は、親機に搭載されているブザーで警告音を鳴らしている。このため、ユーザーにとっては何が問題であるか直感的にわかりづらいという問題がある。また、警告用のブザーを親機に搭載する必要があるため、部品代がかかるという問題がある。
【０００９】
本発明の目的は、ユーザーに、わかりやすく録音領域に空きがないことを報知し、且つ、部品代を抑えることが可能な電話機を提供することである。
【課題を解決するための手段】
【００１０】
第１の発明の電話機は、  子機と無線通信を行う第１無線部と、留守番録音機能のオン、又は、オフを受け付けるための操作部と、前記留守番録音機能によって録音されたメッセージである留守用件を再生する第１モードと、応答メッセージを再生する第２モードと、前記留守用件を録音する領域がないことを示す未領域メッセージを再生する第３モードと、を含む留守再生モードを記憶する記憶部と、第１制御部と、を備える親機と、前記親機と無線通信を行う第２無線部と、スピーカと、第２制御部と、を備える前記子機と、を備え、前記第１制御部は、前記操作部によって、前記留守番録音機能のオン、又は、オフを受け付けた場合、前記操作部が操作されたことを示す留守設定通知を、前記第１無線部を介して、前記子機に送信し、前記第２制御部は、前記第２無線部を介して、前記留守設定通知を受信した場合、メッセージ再生要求を前記親機に送信し、前記第１制御部は、前記第１無線部を介して、前記メッセージ再生要求を受信した場合、前記記憶部に記憶されている前記留守再生モードに応じて、前記留守用件、前記応答メッセージ、又は、前記未領域メッセージを、前記第１無線部を介して、前記子機に送信し、前記第２制御部は、前記第２無線部を介して、前記留守用件、前記応答メッセージ、又は、前記未領域メッセージを受信した場合、前記留守用件、前記応答メッセージ、又は、前記未領域メッセージを前記スピーカから再生することを特徴とする。
【００１１】
本発明では、子機は、留守設定通知を受信した場合、メッセージ再生要求を親機に送信する。また、親機は、メッセージ再生要求を受信した場合、留守再生モードに応じて、留守用件、応答メッセージ、又は、未領域メッセージを、子機に送信する。例えば、留守再生モードが、未領域メッセージを再生する第３モードであれば、親機は、未領域メッセージを子機に送信する。そして、子機は、未領域メッセージを親機から受信し、スピーカから再生する。このため、ユーザーは、留守用件を録音する領域がないことを示す未領域メッセージを聴くことで、容易に、留守用件を録音する領域がないことがわかる。また、ブザー等を設ける必要がないため、部品代がかかることがない。このように、本発明によれば、ユーザーに、わかりやすく録音領域に空きがないことを報知し、且つ、部品代を抑えることが可能となる。従って、親機のスピーカ、ブザー等の部品を削除してコストダウンが可能となる。また、ユーザーの使い勝手を損なうこともない。
【００１２】
第２の発明の電話機は、第１の発明の電話機において、前記記憶部は、前記留守番録音機能がオン、又は、オフであるかを示す留守設定をさらに記憶し、前記第１制御部は、さらに、前記操作部によって、前記留守番録音機能のオン、又は、オフを受け付けたときに、前記記憶部に記憶されている前記留守設定がオフであり、且つ、前記留守用件を録音する領域がない場合、前記留守再生モードを前記第３モードに設定することを特徴とする。
【００１３】
本発明では、親機は、留守番録音機能のオン、又は、オフを受け付けたときに、留守設定がオフであり、且つ、留守用件を録音する領域がない場合、留守再生モードを第３モードに設定する。従って、親機は、第３モードに応じて、未領域メッセージを子機に送信する。そして、子機は、受信した未領域メッセージを再生する。このため、ユーザーは、未領域メッセージを聴くことができる。
【００１４】
第３の発明の電話機は、第２の発明の電話機において、前記第１制御部は、さらに、前記操作部によって、前記留守番録音機能のオン、又は、オフを受け付けたときに、前記記憶部に記憶されている前記留守設定がオフであり、且つ、前記留守用件を録音する領域がある場合、前記留守設定をオンに変更し、且つ、前記留守再生モードを前記第２モードに設定することを特徴とする。
【００１５】
本発明では、親機は、留守番録音機能のオン、又は、オフを受け付けたときに、留守設定がオフであり、且つ、留守用件を録音する領域がある場合、留守再生モードを第２モードに設定する。従って、親機は、第２モードに応じて、応答メッセージを子機に送信する。そして、子機は、受信した応答メッセージを再生する。このため、ユーザーは、応答メッセージを聴くことで、留守番録音機能がオンであることがわかる。また、親機は、留守設定をオンに変更するため、留守番録音機能により、メッセージを録音することができる。
【００１６】
第４の発明の電話機は、第２又は第３の発明の電話機において、前記第１制御部は、さらに、前記操作部によって、前記留守番録音機能のオン、又は、オフを受け付けたときに、前記記憶部に記憶されている前記留守設定がオンである場合、前記留守設定をオフに変更し、且つ、前記留守再生モードを前記第１モードに設定することを特徴とする。
【００１７】
本発明では、親機は、留守番録音機能のオン、又は、オフを受け付けたときに、留守設定がオンある場合、留守再生モードを第１モードに設定する。従って、親機は、第１モードに応じて、留守用件を子機に送信する。そして、子機は、受信した留守用件を再生する。このため、ユーザーは、親機に録音されている留守用件を聴くことができる。また、ユーザーは、留守用件を聴くことで、留守番録音機能がオフであることがわかる。
【００１８】
第５の発明の電話機は、第１〜第４の発明のいずれかの電話機において、前記第２制御部は、前記第２無線部を介して、前記留守設定通知を受信したときに、自機が待機状態である場合、前記メッセージ再生要求を前記親機に送信し、自機が前記待機状態でない場合、前記メッセージ再生要求を前記親機に送信しないことを特徴とする。
【００１９】
例えば、子機が、外線及び内線の着信中、アラームの鳴動中の状態である等、何らかの処理を行っている場合、待機状態ではない。このような状態で、留守用件等が再生されると、子機の処理が中断されるため、本発明では、子機が待機状態でないとき、子機から親機にメッセージ再生要求は送信されない。従って、子機が待機状態でないとき、留守用件等は、再生されないため、子機の処理が中断されることがない。
【発明の効果】
【００２０】
本発明によれば、ユーザーに、わかりやすく録音領域に空きがないことを報知し、且つ、部品代を抑えることが可能となる。
【図面の簡単な説明】
【００２１】
【図１】本発明の実施形態に係る電話機の外観を示す斜視図である。
【図２】本発明の実施形態に係る電話機の構成を示すブロック図である。
【図３】親機と子機との無線通信を示すシーケンス図である。
【発明を実施するための形態】
【００２２】
以下、本発明の実施形態について説明する。図１は、本発明の実施形態に係る電話機の外観を示す斜視図である。図１に示すように、電話機１は、親機２と、子機３と、を備える。図１では、親機２に子機３が載置されている。本実施形態では、親機２は、充電台を兼ねている。親機２に子機３が載置されている場合、子機３は、親機２により充電される。なお、留守応答するときに相手に流す応答メッセージを「ＯＧＭ（Out Going Message）」、留守番録音機能によって録音されたメッセージ（留守用件）を「ＩＣＭ（In Coming Message）」という。
【００２３】
図２は、本発明の実施形態に係る電話機の構成を示すブロック図である。図２に示すように、親機２は、主制御部２１と、ＲＡＭ（Random Access Memory）２２と、不揮発性メモリ２３と、公衆回線制御部２４と、音声録音部２５と、無線部２６と、インジケータ２７と、留守ボタン２８と、を備える。
【００２４】
主制御部２１（第１制御部）は、不揮発性メモリ２３に記憶されている制御プログラムに従って、親機２を構成する各部を制御する。ＲＡＭ２２は、主制御部２１の主メモリとして機能する。不揮発性メモリ２３は、制御プログラム等を記憶している。公衆回線制御部２４は、公衆回線を制御して、電話を掛ける、電話を切る処理を行う。公衆回線制御部２４は、公衆回線に接続されている。主制御部２１は、公衆回線制御部２４を制御して、他の電話機と通話を行うことができる。
【００２５】
音声録音部２５は、音声を録音する。例えば、音声録音部２５は、留守番録音機能がオンである場合に、他の電話機から受話した音声を録音する。無線部２６（第１無線部）は、子機３と無線通信を行う。例えば、主制御部２１は、無線部２６を介して、留守番録音機能によって、音声録音部２５によって録音されたメッセージであるＩＣＭを子機３に送信する。インジケータ２７は、ＩＣＭの有無を点滅等で表示するＬＥＤ等である。留守ボタン２８（操作部）は、留守番録音機能のオン、又は、オフを受け付けるためのものである。主制御部２１は、留守ボタン２８によって、留守番録音機能のオン、又は、オフを受け付ける。ユーザーは、留守ボタン２８を操作（押下）することにより、留守番録音機能を、オン、又は、オフに設定することが可能である。なお、留守ボタン２８は、親機２の背面側に設けられているため、図１においては、図示されていない。
【００２６】
図２に示すように、子機３は、主制御部３１と、ＲＡＭ３２と、不揮発性メモリ３３と、音声再生部３４と、スピーカ３５と、無線部３６と、充電検出部３７と、を備える。
【００２７】
主制御部３１（第２制御部）は、不揮発性メモリ３３に記憶されている制御プログラムに従って、子機３を構成する各部を制御する。ＲＡＭ３２は、主制御部３１の主メモリとして機能する。不揮発性メモリ３３は、制御プログラム等を記憶している。音声再生部３４は、音声信号をスピーカ３５に出力して、音声を再生する。例えば、音声再生部３５は、親機２から送信され、後述の無線部３６を介して受信したＩＣＭをスピーカ３５に出力して、ＩＣＭを再生する。スピーカ３５は、音声信号に従って、外部に音声を出力する。無線部３６（第２無線部）は、親機２と無線通信を行う。例えば、主制御部３１は、無線部３６を介して、親機２から送信されるＩＣＭを受信する。
【００２８】
充電検出部３７は、子機３の充電状態、及び、非充電状態を検出する。親機２に子機３が載置されている場合、親機２からの電圧により、充電検出部３７は、子機３が充電状態であると判断する。言い換えれば、充電検出部３７は、親機２に子機３が載置されていると判断する。親機２に子機３が載置されていない場合、親機２からの電圧がないため、充電検出部３７は、子機３が非充電状態であると判断する。言い換えれば、充電検出部３７は、親機２に子機３が載置されていないと判断する。また、充電検出部３７は、子機３の充電状態から非充電状態への変化を検出する。親機２に子機３が載置されている状態から、親機２から子機３が持ち上げられたとき、親機２からの電圧がなくなるため、充電検出部３７は、子機３の充電状態から非充電状態への変化を検出する。言い換えれば、充電検出部３７は、親機２からの子機３への持ち上げ（クイック）を検出する。
【００２９】
以下、ＩＣＭモード、ＯＧＭモード、録音領域ＦＵＬＬモードについて説明する。ＩＣＭモード（第１モード）は、ＩＣＭを再生するモードである。ＯＧＭモード（第２モード）は、ＯＧＭを再生するモードである。録音領域ＦＵＬＬモード（第３モード）は、ＩＣＭを録音する領域がないことを示す未領域メッセージを再生するモードである。これらのモードを、「留守再生モード」という。主制御部２１は、留守再生モードをＲＡＭ２２（記憶部）に記憶している。なお、未領域メッセージは、例えば、「メッセージを録音する録音領域に空きがありません。」という音声メッセージである。
【００３０】
親機２の主制御部２１は、留守ボタン２８によって、留守番録音機能のオン、又は、オフを受け付けた場合、留守ボタン２８が操作されたことを示す留守ボタン通知（留守設定通知）を、無線部２６を介して、子機３に送信する。子機３の主制御部３１は、無線部３６を介して、留守ボタン設定を受信した場合、子機３が待機状態であれば、メッセージ再生要求を親機２に送信する。一方で、主制御部３１は、子機３が待機状態でなければ、メッセージ再生要求を親機２に送信しない。ここで、例えば、子機３が、外線及び内線の着信中、アラームの鳴動中の状態である等、何らかの処理を行っている場合、待機状態ではない。
【００３１】
親機２の主制御部２１は、無線部２６を介して、メッセージ再生要求を受信した場合、ＲＡＭ２２に記憶されている留守再生モードに応じて、ＩＣＭ、ＯＧＭ、又は、未領域メッセージを子機３に送信する。
【００３２】
具体的には、主制御部２１は、留守再生モードが、ＩＣＭモードである場合、無線部２６を介して、ＩＣＭを子機３に送信する。また、主制御部２１は、ＯＧＭモードである場合、無線部２６を介して、ＯＧＭを子機３に送信する。また、主制御部２１は、録音領域ＦＵＬＬモードである場合、無線部２６を介して、未領域メッセージを子機３に送信する。子機３の主制御部３１は、無線部３６を介して、ＩＣＭ、ＯＧＭ、又は、未領域メッセージを受信した場合に、音声再生部３４により、ＩＣＭ、ＯＧＭ、又は、未領域メッセージをスピーカ３５から再生する。
【００３３】
上述のように、留守再生モードは、親機２のＲＡＭ２２に記憶されている。また、留守設定は、ＲＡＭ２２に記憶されている。主制御部２１は、留守ボタン２８によって、留守番録音機能のオン、又は、オフを受け付けたときに、留守再生モードを設定し、また、留守設定を変更する。具体的には、主制御部２１は、留守ボタンによって、留守番録音機能のオン、又は、オフを受け付けたときに、ＲＡＭ２２に記憶されている留守設定がオンである場合、留守設定をオフに変更する。また、主制御部２１は、留守再生モードをＩＣＭモードに設定する。ＩＣＭモードであるから、子機３から、ＩＣＭが再生される。
【００３４】
また、主制御部２１は、留守ボタン２８によって、留守番録音機能のオン、又は、オフを受け付けたときに、ＲＡＭ２２に記憶されている留守設定がオフであり、且つ、ＩＣＭを録音する領域がある場合、留守設定をオンに変更する。また、主制御部２１は、留守再生モードをＯＧＭモードに設定する。ＯＧＭモードであるから、子機３から、ＯＧＭが再生される。
【００３５】
また、主制御部２１は、留守ボタン２８によって、留守番録音機能のオン、又は、オフを受け付けたときに、ＲＡＭ２２に記憶されている留守設定がオフであり、且つ、ＩＣＭを録音する領域がない場合、留守再生モードを録音領域ＦＵＬＬモードに設定する。録音領域ＦＵＬＬモードであるから、子機から、未領域メッセージが再生される。ここで、主制御部２１は、留守設定をオフに変更しない。ＩＣＭを録音する領域がないため、留守設定をオンにして、留守番録音機能をオンとしないためである。
【００３６】
親機２と子機３との無線通信を、図３に示すシーケンス図に基づいて説明する。親機２の主制御部２１は、留守ボタン２８によって、留守番録音機能のオン、又は、オフを受け付けると（１）、留守再生モードを設定する（２）。
【００３７】
具体的には、主制御部２１は、留守ボタンによって、留守番録音機能のオン、又は、オフを受け付けたときに、ＲＡＭ２２に記憶されている留守設定がオンである場合、留守再生モードをＩＣＭモードに設定する。また、主制御部２１は、留守設定をオフに変更する。また、主制御部２１は、ＲＡＭ２２に記憶されている留守設定がオフであり、且つ、ＩＣＭを録音する領域がある場合、留守再生モードをＯＧＭモードに設定する。また、主制御部２１は、留守設定をオンに変更する。また、主制御部２１は、留守ボタン２８によって、留守番録音機能のオン、又は、オフを受け付けたときに、ＲＡＭ２２に記憶されている留守設定がオフであり、且つ、ＩＣＭを録音する領域がない場合、留守再生モードを録音領域ＦＵＬＬモードに設定する。このように、本実施形態では、留守ボタンによって、留守番録音機能のオン、又は、オフが受け付けられたときに、再生するメッセージ（留守再生モード）が決定される。
【００３８】
次に、主制御部２１は、無線部２６を介して、留守ボタン通知を子機３に送信する（３）。子機３の主制御部３１は、無線部３６を介して、留守ボタン通知を受信すると、子機３が待機状態であれば、メッセージ再生要求を親機２に送信する（４）。親機２の主制御部２１は、無線部２６を介して、メッセージ再生要求を受信すると、無線部２６を介して、メッセージの再生ＯＫを子機３に送信（応答）する（５）。子機３の主制御部３１は、無線部３６を介して、メッセージの再生ＯＫを受信すると、メッセージの再生準備を開始する（６）。
【００３９】
次に、親機２の主制御部２１は、無線部２６を介して、子機３に、留守再生モードに応じたメッセージの送信を開始する（７）。主制御部２１は、ＲＡＭ２２に記憶されている留守再生モードが、ＩＣＭモードであれば、ＩＣＭの送信を開始する。主制御部２１は、ＲＡＭ２２に記憶されている留守再生モードが、ＯＧＭモードであれば、ＯＧＭの送信を開始する。主制御部２１は、ＲＡＭ２２に記憶されている留守再生モードが、録音領域ＦＵＬＬモードであれば、未領域メッセージの送信を開始する。
【００４０】
子機３の主制御部３１は、無線部３６を介して、メッセージを受信すると、音声再生部３４により、スピーカ３５からメッセージの再生を開始する（８）。親機２の主制御部２１は、無線部２６を介して、メッセージの最後まで子機３に送信すると、メッセージの再生終了を子機３に通知する（９）。子機３の主制御部３１は、無線部３６を介して、再生終了通知を受信すると、メッセージの再生を終了する（１０）。
【００４１】
以上説明したように、本実施形態では、子機３は、留守ボタン通知を受信した場合、メッセージ再生要求を親機２に送信する。また、親機２は、メッセージ再生要求を受信した場合、留守再生モードに応じて、ＩＣＭ、ＯＧＭ、又は、未領域メッセージを、子機３に送信する。例えば、留守再生モードが、未領域メッセージを再生する録音領域ＦＵＬＬモードであれば、親機２は、未領域メッセージを子機３に送信する。そして、子機３は、未領域メッセージを親機２から受信し、スピーカ３５から再生する。このため、ユーザーは、ＩＣＭを録音する領域がないことを示す未領域メッセージを聴くことで、容易に、ＩＣＭを録音する領域がないことがわかる。また、ブザー等を設ける必要がないため、部品代がかかることがない。このように、本実施形態によれば、ユーザーに、わかりやすく録音領域に空きがないことを報知し、且つ、部品代を抑えることが可能となる。従って、親機２のスピーカ、ブザー等の部品を削除してコストダウンが可能となる。また、ユーザーの使い勝手を損なうこともない。
【００４２】
また、本実施形態では、親機２は、留守番録音機能のオン、又は、オフを受け付けたときに、留守設定がオフであり、且つ、ＩＣＭを録音する領域がない場合、留守再生モードを録音領域ＦＵＬＬモードに設定する。従って、親機２は、録音領域ＦＵＬＬモードに応じて、未領域メッセージを子機３に送信する。そして、子機３は、受信した未領域メッセージを再生する。このため、ユーザーは、未領域メッセージを聴くことができる。
【００４３】
また、本実施形態では、親機２は、留守番録音機能のオン、又は、オフを受け付けたときに、留守設定がオフであり、且つ、ＩＣＭを録音する領域がある場合、留守再生モードをＯＧＭモードに設定する。従って、親機２は、ＯＧＭモードに応じて、ＯＧＭを子機３に送信する。そして、子機３は、受信したＯＧＭを再生する。このため、ユーザーは、ＯＧＭを聴くことで、留守番録音機能がオンであることがわかる。また、親機２は、留守設定をオンに変更するため、留守番録音機能により、メッセージを録音することができる
【００４４】
また、本実施形態では、親機２は、留守番録音機能のオン、又は、オフを受け付けたときに、留守設定がオンある場合、留守再生モードをＩＣＭモードに設定する。従って、親機２は、ＩＣＭモードに応じて、ＩＣＭを子機３に送信する。そして、子機３は、受信したＩＣＭを再生する。このため、ユーザーは、親機２に録音されているＩＣＭを聴くことができる。また、ユーザーは、ＩＣＭを聴くことで、留守番録音機能がオフであることがわかる。
【００４５】
また、例えば、子機３が、外線及び内線の着信中、アラームの鳴動中の状態である等、何らかの処理を行っている場合、待機状態ではない。このような状態で、ＩＣＭ等が再生されると、子機の処理が中断されるため、本実施形態では、子機３が待機状態でないとき、子機３から親機２にメッセージ再生要求は送信されない。従って、子機３が待機状態でないとき、ＩＣＭ等は、再生されないため、子機３の処理が中断されることがない
【００４６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４７】
上述の実施形態においては、留守番録音機能のオン、又は、オフを、留守ボタン２８、すなわち、ボタンによって受け付けるようになっている。これに限らず、例えば、スイッチにより受け付けるようになっていてもよい。
【産業上の利用可能性】
【００４８】
本発明は、電話機に好適に採用され得る。
【符号の説明】
【００４９】
１  電話機
２  親機
２１  主制御部（第１制御部）
２６  無線部（第１無線部）
２８  留守ボタン（操作部）
３  子機
３１  主制御部（第２制御部）
３５  スピーカ
３６  無線部（第２無線部）
【図１】
0006296041.tif 000002
【図２】
0006296041.tif 000003
【図３】
0006296041.tif 000004